(57)【要約】【課題】複数の試験装置を使って試験を行なう場合でも、適切にライセンスを管理することができるライセンス管理装置を提供すること。【解決手段】複数の移動端末試験装置１それぞれの有するオプション機能の情報と、各移動端末試験装置１のシリアルナンバーを収集し、シリアルナンバーと、そのシリアルナンバーの移動端末試験装置１の有するオプション機能とを関連付けたライセンス情報を作成し、作成したライセンス情報を全ての移動端末試験装置１に送信するライセンス情報作成部２６と、ユーザの操作部２４への操作により選択された試験シナリオとマスターの試験装置のシリアルナンバーを各移動端末試験装置１に送信する試験制御部２５と、ライセンス情報とマスターの試験装置のシリアルナンバーに基づいて、マスターの試験装置のオプション機能と自装置のオプション機能とを個別にチェックする制御部１４とを備える。【選択図】図１
2020061056.tif 000002
【特許請求の範囲】
【請求項１】
所定の機能をオプション機能として追加可能な装置（１）に搭載され、前記オプション機能の提供可否を管理するライセンス管理装置であって、
複数の前記装置を使用し、そのうちの１つの前記装置をマスター装置とし他の前記装置を同期させて処理を実行させるとき、全ての前記装置がそれぞれ有する前記オプション機能の情報を取得し当該情報に基づいて、前記マスター装置の有する前記オプション機能を識別し、前記マスター装置の有する前記オプション機能のチェックと、自装置の有する前記オプション機能のチェックとを、個別に行なって前記オプション機能の提供可否を判定する制御部（１４）を備えるライセンス管理装置。
【請求項２】
複数の前記装置がそれぞれ有する前記オプション機能の情報を作成し、全ての前記装置に配布するライセンス情報作成部（２６）を備える請求項１に記載のライセンス管理装置。
【請求項３】
所定の機能をオプション機能として追加可能な装置（１）の、前記オプション機能の提供可否を管理するライセンス管理方法であって、
複数の前記装置を使用し、そのうちの１つの前記装置をマスター装置とし他の前記装置を同期させて処理を実行させるとき、
複数の前記装置がそれぞれ有する前記オプション機能の情報を取得し当該情報に基づいて、前記マスター装置の有する前記オプション機能を識別するステップと、
前記マスター装置の有する前記オプション機能をチェックして前記オプション機能の提供可否を判定するステップと、
自装置の有する前記オプション機能をチェックして前記オプション機能の提供可否を判定するステップと、を備えるライセンス管理方法。
【発明の詳細な説明】
【技術分野】
【０００１】
本発明は、オプションの機能を追加可能な装置のライセンス管理方法に関する。
【背景技術】
【０００２】
携帯電話やデータ通信端末等の移動しながら通信を行なう移動端末を開発した場合、この開発した移動端末が正常に通信を行なえるか否かを試験する必要がある。このため、実際の基地局の機能を擬似する擬似基地局として動作する試験装置に試験対象の移動端末を接続し、試験装置と移動端末との間で通信を行ない、この通信の内容を確認する試験を行なっている。
【０００３】
また、移動通信システムにおいては、ＬＴＥ（Long Term Evolution）や５Ｇ（5th Generation）など、複数の通信方式があり、それぞれの通信方式においても、様々な機能が提供可能になっている。
【０００４】
試験装置には、このような通信方式や機能を試験するための機能を、オプションとして追加可能としたものがある。
【０００５】
このようなオプション機能は、例えば、その機能を購入したユーザの特定の試験装置でのみ使用可能なようにライセンス管理を実施する必要がある。
【０００６】
特許文献１には、測定器を制御して測定を自動的に行なう自動測定ソフトウェアのライセンス管理方法について記載されている。
【先行技術文献】
【特許文献】
【０００７】
【特許文献１】特開２００５−８４８８９号公報
【発明の概要】
【発明が解決しようとする課題】
【０００８】
複数の試験装置を使って試験を行なう場合、一つの試験装置をマスターの試験装置として、マスターの試験装置をメインとして、他の試験装置をスレーブの試験装置として同期させて試験を行なう。
【０００９】
このような場合、試験の内容により、所定のオプション機能をマスターの試験装置、スレーブの試験装置共に具備する必要がある場合、マスターの試験装置のみ具備していれば良い場合等、様々な状況が発生する。
【００１０】
このため、試験装置単体でのライセンス管理では、使用したいオプション機能が使用できなかったり、使用できないはずのオプション機能が使用できる状態になってしまったりする場合がある。
【００１１】
そこで、本発明は、複数の試験装置を使って試験を行なう場合でも、適切にライセンスを管理することができるライセンス管理装置を提供することを目的としている。
【課題を解決するための手段】
【００１２】
本発明のライセンス管理装置は、所定の機能をオプション機能として追加可能な装置に搭載され、前記オプション機能の提供可否を管理するライセンス管理装置であって、複数の前記装置を使用し、そのうちの１つの前記装置をマスター装置とし他の前記装置を同期させて処理を実行させるとき、全ての前記装置がそれぞれ有する前記オプション機能の情報を取得し当該情報に基づいて、前記マスター装置の有する前記オプション機能を識別し、前記マスター装置の有する前記オプション機能のチェックと、自装置の有する前記オプション機能のチェックとを、個別に行なって前記オプション機能の提供可否を判定する制御部を備えるものである。
【００１３】
この構成により、複数の装置がそれぞれ有するオプション機能の情報に基づいて、マスター装置の有するオプション機能が識別され、マスター装置の有するオプション機能と、自装置の有するオプション機能とが、個別にチェックされてオプション機能の提供可否が判定される。このため、マスター装置のオプション機能により、他の装置でも使用可能になるオプション機能でも適切にライセンスを管理することができる。
【００１４】
また、本発明のライセンス管理装置は、複数の前記装置がそれぞれ有する前記オプション機能の情報を作成し、全ての前記装置に配布するライセンス情報作成部を備えるものである。
【００１５】
この構成により、ライセンス情報作成部で、複数の装置それぞれの有するオプション機能の情報が生成され、全ての装置に配布される。このため、複数の装置それぞれの有するオプション機能の情報の生成と配布を、容易に行なうことができる。
【００１６】
また、本発明のライセンス管理方法は、所定の機能をオプション機能として追加可能な装置の、前記オプション機能の提供可否を管理するライセンス管理方法であって、複数の前記装置を使用し、そのうちの１つの前記装置をマスター装置とし他の前記装置を同期させて処理を実行させるとき、複数の前記装置がそれぞれ有する前記オプション機能の情報を取得し当該情報に基づいて、前記マスター装置の有する前記オプション機能を識別するステップと、前記マスター装置の有する前記オプション機能をチェックして前記オプション機能の提供可否を判定するステップと、自装置の有する前記オプション機能をチェックして前記オプション機能の提供可否を判定するステップと、を備えるものである。
【００１７】
この構成により、複数の装置がそれぞれ有するオプション機能の情報に基づいて、マスター装置の有するオプション機能が識別され、マスター装置の有するオプション機能と、自装置の有するオプション機能とが、個別にチェックされてオプション機能の提供可否が判定される。このため、マスター装置のオプション機能により、他の装置でも使用可能になるオプション機能でも適切にライセンスを管理することができる。
【発明の効果】
【００１８】
本発明は、複数の試験装置を使って試験を行なう場合でも、適切にライセンスを管理することができるライセンス管理装置を提供することができる。
【図面の簡単な説明】
【００１９】
【図１】図１は、本発明の一実施形態に係る移動端末試験システムのブロック図である。
【図２】図２は、本発明の一実施形態に係る移動端末試験システムの複数装置設定画面の例を示す図である。
【図３】図３は、本発明の一実施形態に係る移動端末試験システムのライセンス情報生成処理の処理手順を説明するフローチャートである。
【図４】図４は、本発明の一実施形態に係る移動端末試験システムのオプション機能チェック処理の処理手順を説明するフローチャートを示す図である。
【発明を実施するための形態】
【００２０】
以下、図面を参照して、本発明の実施形態に係る移動端末試験システムについて詳細に説明する。
【００２１】
図１において、本発明の一実施形態に係る移動端末試験システムは、移動端末試験装置１と、外部装置としてのパーソナルコンピュータ装置（以下、単に「ＰＣ」という）２と、を含んで構成される。なお、本実施形態においては、２台の移動端末試験装置１を使った場合を示している。
【００２２】
移動端末試験装置１は、ＰＣ２により制御されて、移動端末３の試験を行なうようになっている。
【００２３】
本実施の形態において、移動端末試験装置１は、アンテナ１３を介して無線で移動端末３と信号を送受信するようになっている。移動端末試験装置１は、同軸ケーブル等を介して有線で移動端末３と無線信号を送受信するようにしてもよい。
【００２４】
移動端末試験装置１は、ＣＰＵ（Central Processing Unit）と、ＲＡＭ（Random Access Memory）と、ＲＯＭ（Read Only Memory）と、フラッシュメモリと、ハードディスク装置と、入力ポートと、出力ポートとを備えたコンピュータユニットによって構成されている。
【００２５】
このコンピュータユニットは、ハードディスク装置に記憶されたＯＳ（Operating System）をＣＰＵが実行することにより、ＣＰＵが入力ポート及び出力ポートに接続された機器を制御できるようになっている。
【００２６】
移動端末試験装置１は、通信部１１と、擬似基地局部１２と、アンテナ１３と、ライセンス管理装置としても機能する制御部１４と、を含んで構成される。
【００２７】
通信部１１は、通信モジュールによって構成される。通信部１１は、入出力ポートに接続されたイーサネット（登録商標）に準拠したＬＡＮ４を介してＰＣ２と通信する。
【００２８】
擬似基地局部１２は、制御部１４の制御により、移動端末３との間でアンテナ１３を介して無線信号を送受信する。擬似基地局部１２は、制御部１４から入力されるコマンドに基づいて移動端末３との通信を制御する。擬似基地局部１２は、移動端末３との通信の状態などを制御部１４に出力する。
【００２９】
制御部１４は、移動端末試験装置１の記憶装置に記憶されたプログラムにより構成される。制御部１４は、移動端末試験装置１のＯＳ上で動作し、ＯＳを介して通信部１１や、擬似基地局部１２、などを制御して、コンピュータユニットを移動端末試験装置１として動作させる。
【００３０】
移動端末試験装置１は、ＰＣ２の試験制御部２５により制御される。移動端末試験装置１の制御部１４は、後述する通信部１１を介してＰＣ２の試験制御部２５から受信した試験シナリオに従ってコマンドを擬似基地局部１２に出力する。制御部１４は、擬似基地局部１２から入力された移動端末３との通信の状態などを、通信部１１を介してＰＣ２の試験制御部２５に送信する。
【００３１】
ＰＣ２は、ＣＰＵと、ＲＡＭと、ＲＯＭと、フラッシュメモリと、ハードディスク装置と、入力ポートと、出力ポートとを備えたコンピュータユニットによって構成されている。
【００３２】
このコンピュータユニットは、ハードディスク装置に記憶されたＯＳ２１をＣＰＵが実行することにより、ＣＰＵが入力ポート及び出力ポートに接続された機器を制御できるようになっている。
【００３３】
ＰＣ２は、通信部２２と、表示部２３と、操作部２４と、試験制御部２５と、ライセンス情報作成部２６と、を含んで構成される。
【００３４】
通信部２２は、通信モジュールによって構成される。通信部２２は、入出力ポートに接続されたイーサネット（登録商標）に準拠したＬＡＮ４を介して移動端末試験装置１と通信する。
【００３５】
表示部２３は、液晶ディスプレイ等の画像表示機器で構成され、必要な情報を入力させる画像や試験中の状態を示す画像などを表示する。
【００３６】
操作部２４は、キーボード、マウス、タッチパネル等の入力機器で構成され、操作入力された情報などを試験制御部２５やライセンス情報作成部２６に出力する。
【００３７】
試験制御部２５は、ＰＣ２のハードディスク装置に記憶されたプログラムにより構成される。試験制御部２５は、ＰＣ２のＯＳ２１上で動作し、ＯＳ２１を介して通信部２２や、表示部２３、操作部２４、などを制御して、移動端末試験装置１の試験を制御する。
【００３８】
試験制御部２５は、操作部２４に入力された情報に基づいて、通信部２２を介して移動端末試験装置１に試験シナリオを送信する。試験制御部２５は、操作部２４への入力のガイドや、通信部２２を介して移動端末試験装置１から受信した情報に基づいて、擬似基地局部１２に設定されているパラメータの内容や、移動端末３との通信の状態などを表示部２３に表示させる。
【００３９】
試験制御部２５は、ＯＳ２１を介してライセンス情報作成部２６と情報を送受信することができるようになっている。
【００４０】
ライセンス情報作成部２６は、ＰＣ２のハードディスク装置に記憶されたプログラムにより構成される。ライセンス情報作成部２６は、ＰＣ２のＯＳ２１上で動作し、ＯＳ２１を介して通信部２２や、表示部２３、操作部２４、などを制御して、移動端末試験装置１のライセンス管理のための情報を生成する。
【００４１】
移動端末試験装置１は、試験に必要な機能をオプション機能として購入して追加できるようになっている。オプション機能は、対象とする試験を実施するために、そのオプション機能が移動端末試験装置１単体ごとで必要なものと、複数の移動端末試験装置１で１つ必要なものがある。複数の移動端末試験装置１で１つ必要なオプション機能は、複数の移動端末試験装置１の中でメインとして動作するマスターの試験装置について購入されていればよい。
【００４２】
ただし、複数の移動端末試験装置１で１つ必要なオプション機能が、マスターの試験装置としての移動端末試験装置１では購入されておらず、他の移動端末試験装置１で購入されている場合は、試験を実施できないようにしなければならない。また、試験によっては複数のオプション機能が必要となるものもある。
【００４３】
このため、本実施形態の移動端末試験装置１では、移動端末試験システムを構成する複数の移動端末試験装置１それぞれにライセンス管理のための情報を配布し、試験実行時にその情報に基づいてライセンスの有無を判定してライセンスを管理する。
【００４４】
例えば、ＰＣ２のライセンス情報作成部２６において、移動端末試験装置１それぞれの有するオプション機能の情報と、各移動端末試験装置１のシリアルナンバーを収集し、シリアルナンバーと、そのシリアルナンバーの移動端末試験装置１の有するオプション機能とを関連付けたライセンス情報を作成し、作成したライセンス情報を全ての移動端末試験装置１に送信する。
【００４５】
本実施形態の移動端末試験装置１では、オプション機能を識別する情報としてOption Keyが用いられる。オプション機能を購入した移動端末試験装置１には、オプション機能に対応するOption Keyが後述する記憶部に記憶される。移動端末試験装置１には、購入したオプション機能のOption Keyがまとめられて、例えば、Optionというファイル名で記憶される。
【００４６】
ライセンス情報作成部２６は、移動端末試験システムを構築する際に起動されて、例えば、図２に示すような複数装置設定画面を表示部２３に表示し、移動端末試験システムを構成する移動端末試験装置１の情報を設定させる。
【００４７】
図２において、台数設定部１０１は、移動端末試験システムを構成する移動端末試験装置１の台数を、例えば、プルダウンメニューにより設定させるものである。
【００４８】
第１シリアルナンバー設定部１０２、第２シリアルナンバー設定部１０３、第３シリアルナンバー設定部１０４、第４シリアルナンバー設定部１０５には、移動端末試験システムを構成する移動端末試験装置１のシリアルナンバーを入力させるものである。
【００４９】
ライセンス情報作成部２６は、第１シリアルナンバー設定部１０２、第２シリアルナンバー設定部１０３、第３シリアルナンバー設定部１０４、第４シリアルナンバー設定部１０５の順にシリアルナンバーを入力させる。ライセンス情報作成部２６は、台数設定部１０１に設定された台数分だけシリアルナンバーを入力可能になるように、第１シリアルナンバー設定部１０２、第２シリアルナンバー設定部１０３、第３シリアルナンバー設定部１０４、第４シリアルナンバー設定部１０５を制御するとよい。
【００５０】
ライセンス情報作成ボタン１０６は、入力されたシリアルナンバーに基づいてライセンス情報を作成させ、全ての移動端末試験装置１に送信させるものである。
【００５１】
ライセンス情報作成部２６は、ライセンス情報作成ボタン１０６がユーザの操作部２４への操作により選択されると、図３に示すフローチャートのように処理を行なう。
【００５２】
ステップＳ１において、ライセンス情報作成部２６は、通信部２２を介して、入力されたシリアルナンバーの移動端末試験装置１からOption Keyの格納されたファイル（以下、「Option Key格納ファイル」ともいう）を取得する。
【００５３】
ステップＳ２において、ライセンス情報作成部２６は、取得したOption Key格納ファイルの名前をリネームする。
【００５４】
ライセンス情報作成部２６は、例えば、第１シリアルナンバー設定部１０２、第２シリアルナンバー設定部１０３、第３シリアルナンバー設定部１０４、第４シリアルナンバー設定部１０５に入力された順に、Option Key格納ファイルの名前をOption2_2nd、Option2_3rd、Option2_4th、Option2_5thなどにリネームする。
【００５５】
ステップＳ３において、ライセンス情報作成部２６は、リネームされたOption Key格納ファイルと、リネーム前のOption Key格納ファイルを取得した移動端末試験装置１のシリアルナンバーとを関連付けたファイルをライセンス情報として作成する。
【００５６】
ステップＳ４において、ライセンス情報作成部２６は、リネームされたOption Key格納ファイルと、対応する移動端末試験装置１のシリアルナンバーを関連付けたファイルを、各移動端末試験装置１に通信部２２を介して送信する。
【００５７】
各移動端末試験装置１の制御部１４は、受信したリネームされたOption Key格納ファイルと、対応する移動端末試験装置１のシリアルナンバーを関連付けたファイルを、ライセンス情報としてフラッシュメモリやハードディスク装置などの不図示の記憶部に記憶する。
【００５８】
このようにして、移動端末試験システムを構成する複数の移動端末試験装置１のシリアルナンバーと保有するOption Keyが関連付けられて、ライセンス情報として各移動端末試験装置１に記憶される。
【００５９】
このように構成された移動端末試験システムにおいて、移動端末３の試験を行なう場合、予めユーザにより試験に使用する試験シナリオが作成される。ＰＣ２の試験制御部２５は、ユーザによる操作部２４への操作により試験シナリオの作成の機能が選択されると、例えば、表示部２３にシナリオ作成画面を表示させて、各移動端末試験装置１の擬似基地局部１２で擬似する基地局のパラメータや移動端末３と送受信する信号シーケンスなどを設定させる。
【００６０】
試験制御部２５は、設定されたパラメータや信号シーケンスに基づいて試験シナリオを生成する。試験制御部２５は、試験シナリオを生成する際、試験に必要な機能を試験対象機能として選定し、試験シナリオの情報とする。生成された試験シナリオは、例えば、ＰＣ２のハードディスク装置に記憶される。
【００６１】
試験制御部２５は、ユーザの操作部２４への操作により試験シナリオの設定が選択されると、ハードディスク装置に記憶されている試験シナリオの、例えば、識別情報を読み出し、一覧にして表示部２３に表示させ、設定する試験シナリオの選択を行なわせるメッセージを表示させる。このとき、試験制御部２５は、複数の移動端末試験装置１のうち、マスターの試験装置として機能させる移動端末試験装置１のシリアルナンバーを入力させる。
【００６２】
試験制御部２５は、ユーザの操作部２４への操作により試験シナリオが選択されると、選択された試験シナリオをハードディスク装置から読み出し、試験シナリオとマスターの試験装置のシリアルナンバーを各移動端末試験装置１に送信する。
【００６３】
各移動端末試験装置１の制御部１４は、ＰＣ２から試験シナリオとマスターの試験装置のシリアルナンバーを受信すると、マスターの試験装置のシリアルナンバーと自装置のシリアルナンバーを比較して、自装置がマスターの試験装置か否かを判定する。
【００６４】
自装置がマスターの試験装置であると判定した場合、制御部１４は、通常の単体での試験時と同様に、試験シナリオの試験対象機能に基づいて判別した、試験に必要なオプション機能のOption Keyが、自装置の保有するOption Keyに存在しているか否かを判定する。なお、試験シナリオの試験対象機能に基づいて判別した、試験に必要なオプション機能のOption Keyは複数である場合もあるため、自装置の保有するOption Keyに全てが揃って存在しているか否かを判定する（これは後述する自装置がマスターの試験装置でないスレーブの試験装置の場合も同様である）。試験に必要なオプション機能のOption Keyが、自装置の保有するOption Keyに揃って存在していると判定した場合、制御部１４は、試験シナリオを実行する。
【００６５】
試験に必要なオプション機能のOption Keyが、自装置の保有するOption Keyに揃って存在していないと判定した場合、制御部１４は、ＰＣ２の試験制御部２５にOption Keyの異常を通知するなどの異常終了処理を実行する。
【００６６】
ＰＣ２の試験制御部２５は、Option Keyの異常を受信した場合、表示部２３にオプション機能が足りない等のメッセージを表示させ、試験の実行を中止する。
【００６７】
なお、試験対象機能に必要なオプション機能のOption Key（複数の試験装置を使って試験する場合であれば、マスターの試験装置とスレーブの試験装置とに必要なOption Key）は、例えば制御部１４に記憶された、予め設定された、試験対象機能から必要なOption Keyが求められるマップやテーブル等により判別する。
【００６８】
自装置がマスターの試験装置ではないスレーブの試験装置であると判定した場合、制御部１４は、図４に示すフローチャートのように処理を行なう。
【００６９】
ステップＳ１１において、制御部１４は、マスターの試験装置のシリアルナンバーと、ライセンス情報として記憶されている、Option Key格納ファイルと関連付けられた移動端末試験装置１のシリアルナンバーのうちの１つとを比較する。
【００７０】
ステップＳ１２において、比較したシリアルナンバーが一致したか否かを判定する。比較したシリアルナンバーが一致したと判定した場合、ステップＳ１４において、制御部１４は、試験シナリオの試験対象機能に基づいて判別した、マスターの試験装置に必要なオプション機能のOption Keyと、当該一致したシリアルナンバーに関連付けられた移動端末試験装置１の保有するOption Keyとをチェックする。
【００７１】
ステップＳ１５において、制御部１４は、マスターの試験装置に必要なOption Keyが、一致したシリアルナンバーに関連付けられた移動端末試験装置１の保有するOption Keyに揃って存在しているか否かを判定する。マスターの試験装置に必要なOption Keyが、一致したシリアルナンバーに関連付けられた移動端末試験装置１の保有するOption Keyに揃って存在していると判定した場合、ステップＳ１６において、制御部１４は、試験シナリオの試験対象機能に基づいて判別した、自装置に必要なOption Keyと、自装置の保有するOption Keyとをチェックする。
【００７２】
ステップＳ１７において、自装置に必要なOption Keyが、自装置の保有するOption Keyに揃って存在しているか否かを判定する。自装置に必要なOption Keyが、自装置の保有するOption Keyに揃って存在していると判定した場合、ステップＳ１８において、制御部１４は、試験シナリオを実行して、処理を終了する。
【００７３】
このように、各スレーブの試験装置は、記憶されているライセンス情報を基に、シリアルナンバーを比較することでマスターの試験装置と一致したシリアルナンバーの移動端末試験装置１が保有しているオプション機能がこれから行うべき試験に適合しているかを判定し、続いて、自装置がマスターの試験装置と連携して当該試験を行うために必要なオプション機能を具備しているかを判定するようになっている。
【００７４】
ステップＳ１２において比較したシリアルナンバーが一致しないと判定した場合、ステップＳ１３において、制御部１４は、ライセンス情報として記憶されている、Option Key格納ファイルと関連付けられた移動端末試験装置１のシリアルナンバーの全てのシリアルナンバーについて比較したか否かを判定する。全てのシリアルナンバーについて比較していないと判定した場合、制御部１４は、ステップＳ１１に処理を戻して、処理を繰り返す。
【００７５】
ステップＳ１３において全てのシリアルナンバーについて比較したと判定した場合、または、ステップＳ１５においてマスターの試験装置に必要なOption Keyが一致したシリアルナンバーに関連付けられた移動端末試験装置１の保有するOption Keyに揃って存在していないと判定した場合、または、ステップＳ１７において自装置に必要なOption Keyが自装置の保有するOption Keyに揃って存在していないと判定した場合、制御部１４は、ステップＳ１９において、異常終了処理を実行して、処理を終了する。
【００７６】
このように、移動端末試験システムを構築したときに、移動端末試験システムに含まれる移動端末試験装置１のシリアルナンバーと保有しているOption Keyの情報を全ての移動端末試験装置１に記憶させ、試験開始時に、マスターの試験装置とする移動端末試験装置１のシリアルナンバーを送信しているため、マスターの試験装置のOption Keyと、自装置のOption Keyとを分けて確認することができ、複数の試験装置を使って試験を行なう場合でも、適切にライセンスを管理することができる。
【００７７】
また、試験開始時に試験シナリオとマスターの試験装置のシリアルナンバーを送信しているため、試験ごとにマスターの試験装置を変更しても適切にライセンスを管理することができる。
【００７８】
なお、試験によっては、マスターの試験装置とスレーブの試験装置とがそれぞれオプション機能を具備する必要がなく、マスターの試験装置のみがオプション機能を具備していれば良い場合もある。
【００７９】
また、オプション機能は、ソフトウェアにより実現する機能でもよいし、ハードウェアにより実現する機能でもよい。
【００８０】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００８１】
１  移動端末試験装置（装置）
２  パーソナルコンピュータ装置（ＰＣ）
１４  制御部
２５  試験制御部
２６  ライセンス情報作成部
【図１】
2020061056.tif 000003
【図２】
2020061056.tif 000004
【図３】
2020061056.tif 000005
【図４】
2020061056.tif 000006